(57)【要約】【課題】消費エネルギーを減少しつつ、暖かく、快適な環境を維持し得る躯体内暖房システムを提供すること。【解決手段】躯体内暖房システム１は、作動モードとして、補正モードと、通常モード（非補正モード）とを有している。補正モードに設定されている場合は、制御装置６は、インターネット１２を介して、気象情報から住宅が設置されている地域の１日の最低気温の予報の情報および天気の予報の情報を取得し、これら両方の情報に基づいて、暖房装置９の作動温度の設定値と、作動時間帯（作動時間）の設定値とのいずれか一方または両方を補正し、その補正された値で、暖房装置９の作動を制御し、暖房を行なう。【選択図】図２
2009008310.tif 000002
【特許請求の範囲】
【請求項１】
建築物をその躯体内から暖める躯体内暖房システムであって、
前記躯体内に設けられた放熱部を有する暖房装置と、
通信回線を介して、気象情報から前記建築物が設置されている地域の１日の最低気温の予報の情報を取得する最低気温情報取得手段と、
前記暖房装置の作動温度および作動時間を入力する入力手段と、
前記暖房装置の作動温度および作動時間を前記入力手段により入力された値に設定する設定手段と、
前記最低気温情報取得手段により取得した前記最低気温の予報の情報に基づいて、前記設定手段により設定された前記暖房装置の作動温度および／または作動時間を補正する補正手段と、
前記暖房装置の作動を制御する暖房制御手段とを備え、
前記暖房制御手段は、前記設定手段により設定された値または前記補正手段により補正された値で前記暖房装置の作動を制御し、暖房を行なうよう構成されていることを特徴とする躯体内暖房システム。
【請求項２】
前記補正手段は、前記最低気温の予報が所定範囲内の値の場合は、前記補正を行わず、前記設定手段により設定された前記暖房装置の作動温度および作動時間を維持する請求項１に記載の躯体内暖房システム。
【請求項３】
前記補正手段は、前記最低気温の予報が前記所定範囲の上限値より高い場合は、前記設定手段により設定された前記暖房装置の作動時間を、該作動時間よりも短い時間に補正し、前記最低気温の予報が前記所定範囲の下限値より低い場合は、前記設定手段により設定された前記暖房装置の作動時間を、該作動時間よりも長い時間に補正する請求項１または２に記載の躯体内暖房システム。
【請求項４】
前記補正手段は、前記最低気温の予報が前記所定範囲の上限値より高い場合は、前記設定手段により設定された前記暖房装置の作動温度を、該作動温度よりも低い温度に補正し、前記最低気温の予報が前記所定範囲の下限値より低い場合は、前記設定手段により設定された前記暖房装置の作動温度を、該作動温度よりも高い温度に補正する請求項１ないし３のいずれかに記載の躯体内暖房システム。
【請求項５】
前記補正手段は、前記最低気温の予報が第１のしきい値より高い場合は、前記設定手段により設定された前記暖房装置の作動時間を０に補正し、これにより前記暖房装置は１日中作動しない請求項１ないし４のいずれかに記載の躯体内暖房システム。
【請求項６】
前記補正手段は、前記最低気温の予報が第２のしきい値より低い場合は、前記設定手段により設定された前記暖房装置の作動時間を２４時間に補正し、これにより前記暖房装置は１日中作動する請求項１ないし５のいずれかに記載の躯体内暖房システム。
【請求項７】
前記暖房装置の作動前に、前記最低気温の予報の情報を取得し、前記補正を行うよう構成されている請求項１ないし６のいずれかに記載の躯体内暖房システム。
【請求項８】
通信回線を介して、気象情報から前記建築物が設置されている地域の天気の予報の情報を取得する天気情報取得手段を有し、
前記補正手段は、前記天気情報取得手段により取得した前記天気の予報の情報と、前記最低気温情報取得手段により取得した前記最低気温の予報の情報とに基づいて、前記設定手段により設定された前記暖房装置の作動温度および／または作動時間を補正するよう構成されている請求項１ないし７のいずれかに記載の躯体内暖房システム。
【請求項９】
前記補正手段は、前記天気の予報が曇りの場合に比べて晴れの場合の前記暖房装置の作動時間を短くし、前記天気の予報が曇りの場合に比べて雨の場合と雪の場合との前記暖房装置の作動時間をそれぞれ長くする請求項８に記載の躯体内暖房システム。
【請求項１０】
前記補正手段は、前記天気の予報が曇りの場合に比べて晴れの場合の前記暖房装置の作動温度を低くし、前記天気の予報が曇りの場合に比べて雨の場合と雪の場合との前記暖房装置の作動温度をそれぞれ高くする請求項８に記載の躯体内暖房システム。
【請求項１１】
前記天気情報取得手段は、前記建築物が設置されている地域の気温が前記最低気温に到達するときの前記天気の予報の情報を取得し、前記補正手段は、該天気の予報の情報を用いて前記補正を行う請求項８ないし１０のいずれかに記載の躯体内暖房システム。
【請求項１２】
前記暖房装置の作動前に、前記天気の予報の情報および前記最低気温の予報の情報を取得し、前記補正を行うよう構成されている請求項８ないし１１のいずれかに記載の躯体内暖房システム。
【請求項１３】
前記放熱部は、前記建築物の床下空間に設けられ、熱を蓄熱して放熱するコンクリートを有し、
前記暖房装置は、前記コンクリートを加熱する加熱手段を有し、
前記加熱手段により前記コンクリートが加熱され、前記コンクリートに蓄熱され、前記コンクリートから放熱されるよう構成されている請求項１ないし１２のいずれかに記載の躯体内暖房システム。
【発明の詳細な説明】
【技術分野】
【０００１】
本発明は、躯体内暖房システムに関するものである。
【背景技術】
【０００２】
従来、住宅（建築物）の暖房装置として、床下空間等の躯体内空間に放熱部を設けてなる蓄熱方式または設置方式の暖房装置が知られている。
【０００３】
蓄熱方式の暖房装置は、例えば、床下空間に設置された蓄熱コンクリート層と、蓄熱コンクリート層に埋設された流路管とを有し、その流路管に温水を流すことにより、蓄熱コンクリート層に熱が蓄熱され、その蓄熱コンクリート層から熱が放熱されるようになっている（例えば、特許文献１参照）。また、設置方式の暖房装置は、例えば、床下空間に設置された放熱器やヒータ等で構成されている。
【０００４】
このような暖房装置では、暖房装置の電源スイッチを投入し、暖房装置を作動させてから、それが躯体内や屋内の温度に反映されるまでに長時間を要する。例えば、設置方式の暖房装置では、１〜３時間程度必要とし、蓄熱方式の暖房装置では、さらに長く、３〜１２時間程度必要とする。
【０００５】
このため、その暖房装置は、予め、住人（使用者）により、作動温度（供給温度）と、作動時間（運転時間）として作動時間帯（運転時間帯）とが、それぞれ入力され、その作動時間帯に、その作動温度で加熱を行うように構成されている。この場合、住人は、気温等を想定（予想）して、住宅内の温度が適切な温度となるように、作動温度および作動時間帯を入力する。
【０００６】
しかしながら、前記暖房装置では、実際の気温が使用者の想定した気温よりも高い場合や低い場合は、住宅内の温度が適切な温度範囲を逸脱し、また、消費エネルギーが増大してしまう等の欠点がある。また、後から作動温度や作動時間帯の設定値を変更しても、前述したように、それが躯体内の温度に反映されるまでに長時間を要するので、対応することが困難である。
【０００７】
例えば、気温が高い場合は、本来は、設定値よりも短い作動時間が適正な作動時間であるにもかかわらず、それよりも長い時間作動し、または、本来は、設定値よりも低い作動温度が適正な作動温度であるにもかかわらず、それよりも高い作動温度で加熱が行われるので、エネルギーが無駄になってしまうとともに、住人は、熱さ（不快感）を感じてしまうこともある。
【０００８】
逆に、気温が低い場合は、本来は、設定値よりも長い作動時間が適正な作動時間であるにもかかわらず、それよりも短い時間作動し、または、本来は、設定値よりも高い作動温度が適正な作動温度であるにもかかわらず、それよりも低い作動温度で加熱が行われるので、十分な温度に暖めることができず、これにより、住人は、寒さを感じてしまう。
【０００９】
【特許文献１】特開２００３−４２４６３号公報
【発明の開示】
【発明が解決しようとする課題】
【００１０】
本発明の目的は、消費エネルギーを減少しつつ、暖かく、快適な環境を維持し得る躯体内暖房システムを提供することにある。
【課題を解決するための手段】
【００１１】
このような目的は、下記（１）〜（１３）の本発明により達成される。
（１）  建築物をその躯体内から暖める躯体内暖房システムであって、
前記躯体内に設けられた放熱部を有する暖房装置と、
通信回線を介して、気象情報から前記建築物が設置されている地域の１日の最低気温の予報の情報を取得する最低気温情報取得手段と、
前記暖房装置の作動温度および作動時間を入力する入力手段と、
前記暖房装置の作動温度および作動時間を前記入力手段により入力された値に設定する設定手段と、
前記最低気温情報取得手段により取得した前記最低気温の予報の情報に基づいて、前記設定手段により設定された前記暖房装置の作動温度および／または作動時間を補正する補正手段と、
前記暖房装置の作動を制御する暖房制御手段とを備え、
前記暖房制御手段は、前記設定手段により設定された値または前記補正手段により補正された値で前記暖房装置の作動を制御し、暖房を行なうよう構成されていることを特徴とする躯体内暖房システム。
【００１２】
（２）  前記補正手段は、前記最低気温の予報が所定範囲内の値の場合は、前記補正を行わず、前記設定手段により設定された前記暖房装置の作動温度および作動時間を維持する上記（１）に記載の躯体内暖房システム。
【００１３】
（３）  前記補正手段は、前記最低気温の予報が前記所定範囲の上限値より高い場合は、前記設定手段により設定された前記暖房装置の作動時間を、該作動時間よりも短い時間に補正し、前記最低気温の予報が前記所定範囲の下限値より低い場合は、前記設定手段により設定された前記暖房装置の作動時間を、該作動時間よりも長い時間に補正する上記（１）または（２）に記載の躯体内暖房システム。
【００１４】
（４）  前記補正手段は、前記最低気温の予報が前記所定範囲の上限値より高い場合は、前記設定手段により設定された前記暖房装置の作動温度を、該作動温度よりも低い温度に補正し、前記最低気温の予報が前記所定範囲の下限値より低い場合は、前記設定手段により設定された前記暖房装置の作動温度を、該作動温度よりも高い温度に補正する上記（１）ないし（３）のいずれかに記載の躯体内暖房システム。
【００１５】
（５）  前記補正手段は、前記最低気温の予報が第１のしきい値より高い場合は、前記設定手段により設定された前記暖房装置の作動時間を０に補正し、これにより前記暖房装置は１日中作動しない上記（１）ないし（４）のいずれかに記載の躯体内暖房システム。
【００１６】
（６）  前記補正手段は、前記最低気温の予報が第２のしきい値より低い場合は、前記設定手段により設定された前記暖房装置の作動時間を２４時間に補正し、これにより前記暖房装置は１日中作動する上記（１）ないし（５）のいずれかに記載の躯体内暖房システム。
【００１７】
（７）  前記暖房装置の作動前に、前記最低気温の予報の情報を取得し、前記補正を行うよう構成されている上記（１）ないし（６）のいずれかに記載の躯体内暖房システム。
【００１８】
（８）  通信回線を介して、気象情報から前記建築物が設置されている地域の天気の予報の情報を取得する天気情報取得手段を有し、
前記補正手段は、前記天気情報取得手段により取得した前記天気の予報の情報と、前記最低気温情報取得手段により取得した前記最低気温の予報の情報とに基づいて、前記設定手段により設定された前記暖房装置の作動温度および／または作動時間を補正するよう構成されている上記（１）ないし（７）のいずれかに記載の躯体内暖房システム。
【００１９】
（９）  前記補正手段は、前記天気の予報が曇りの場合に比べて晴れの場合の前記暖房装置の作動時間を短くし、前記天気の予報が曇りの場合に比べて雨の場合と雪の場合との前記暖房装置の作動時間をそれぞれ長くする上記（８）に記載の躯体内暖房システム。
【００２０】
（１０）  前記補正手段は、前記天気の予報が曇りの場合に比べて晴れの場合の前記暖房装置の作動温度を低くし、前記天気の予報が曇りの場合に比べて雨の場合と雪の場合との前記暖房装置の作動温度をそれぞれ高くする上記（８）に記載の躯体内暖房システム。
【００２１】
（１１）  前記天気情報取得手段は、前記建築物が設置されている地域の気温が前記最低気温に到達するときの前記天気の予報の情報を取得し、前記補正手段は、該天気の予報の情報を用いて前記補正を行う上記（８）ないし（１０）のいずれかに記載の躯体内暖房システム。
【００２２】
（１２）  前記暖房装置の作動前に、前記天気の予報の情報および前記最低気温の予報の情報を取得し、前記補正を行うよう構成されている上記（８）ないし（１１）のいずれかに記載の躯体内暖房システム。
【００２３】
（１３）  前記放熱部は、前記建築物の床下空間に設けられ、熱を蓄熱して放熱するコンクリートを有し、
前記暖房装置は、前記コンクリートを加熱する加熱手段を有し、
前記加熱手段により前記コンクリートが加熱され、前記コンクリートに蓄熱され、前記コンクリートから放熱されるよう構成されている上記（１）ないし（１２）のいずれかに記載の躯体内暖房システム。
【発明の効果】
【００２４】
本発明によれば、設定手段により設定された暖房装置の作動温度や作動時間（例えば、作動時間帯）を、建築物が設置されている地域の１日の最低気温の予報の情報に基づいて補正する補正手段を有しているので、作動時から暖房の効果が十分に表れるまでのタイムラグが比較的大きい暖房装置を用いても、消費エネルギーを減少しつつ、暖かく、快適な環境を作り、それを維持することができる。
【００２５】
すなわち、使用者は、例えば、最低気温等の気温を想定（予想）して、建築物内の温度が適切な温度となるように、暖房装置の作動温度および作動時間を入力するが、実際の最低気温が、使用者の想定した値からずれていたとしても、事前に、自動的に、最低気温の予報の情報を取得し、その情報に基づいて、暖房装置の作動温度や作動時間が補正されるので、建築物内を必要かつ十分な温度に暖めることができ、その快適な環境を維持することができ、また、必要以上のエネルギーが消費されてしまうのを防止することができる。
【００２６】
また、暖房装置の作動温度や作動時間の設定値が自動的に補正されるので、使用者は、基本的には、その設定値を変更する操作を行う必要がなく、手間がかからないという利点を有する。
【発明を実施するための最良の形態】
【００２７】
以下、本発明の躯体内暖房システムを添付図面に示す好適実施形態に基づいて詳細に説明する。
【００２８】
＜第１実施形態＞
図１は、本発明の躯体内暖房システムの第１実施形態が適用された建築物としての住宅の概略構造を示す断面図、図２は、図１に示す躯体内暖房システムのブロック図、図３は、図１に示す躯体内暖房システムの暖房装置のブロック図、図４は、図１に示す躯体内暖房システムの制御装置の制御動作の構成例を示す図（表）である。
【００２９】
なお、説明の都合上、図１において、上側を「上」、下側を「下」、左側を「左」、右側を「右」として説明する。
【００３０】
図１に示すように、住宅（建築物）１０は、２階建てであり、室３１、３２および３３、図示しない玄関、図示しない廊下等を画成する躯体２０を有している。なお、室３１〜３３は、それぞれ、居間や寝室に限らず、この他、例えば、キッチン、浴室、トイレ等、種々の居住空間であってよい。
【００３１】
躯体２０は、屋根部（屋根）２１と、外壁部２２と、基台部２４と、屋根部２１、外壁部２２および基台部２４の内面に積層された断熱材２３と、室３１を画成する内壁部２５１、天井２５２および床２５３と、室３２を画成する内壁部２６１、天井２６２および床２６３と、室３３を画成する内壁部２７１、天井２７２および床２７３とを有している。また、躯体２０の内部には、躯体内空間４０が形成されている。
【００３２】
この躯体内空間４０は、小屋空間４１、床下空間４２、ふところ空間４３、および内壁空間（内壁空洞）４４、４５、４６で構成されている。すなわち、躯体内空間４０は、小屋空間４１、床下空間４２、ふところ空間４３、および内壁空間４４、４５、４６が連通して形成される一続きの空間（連通空間）である。
【００３３】
小屋空間４１は、屋根の下方に形成される空間、すなわち、屋根部２１と、室３１の天井２５２の上部および室３３の天井２７２の上部との間に形成される空間である。
【００３４】
また、床下空間４２は、基台部２４と、室３２の床２６３の下部および室３３の床２７３の下部との間に形成される空間である。
【００３５】
また、ふところ空間４３は、隣接する上下の階の間（本実施形態では、１階と２階の間）に形成される空間、すなわち、室３１の床２５３の下部と室３２の天井２６２の上部との間に形成される空間である。
【００３６】
また、内壁空間（内壁空洞）４４は、外壁部（側壁）２２と、内壁部２５１、２６１との間に上下方向に沿って形成される空間、また、内壁空間４５は、内壁部２５１、２６１と、内壁部２７１との間に上下方向に沿って形成される空間、また、内壁空間４６は、外壁部２２と、内壁部２７１との間に上下方向に沿って形成される空間である。
【００３７】
また、住宅１０には、住宅１０の外部と躯体２０内（躯体内空間４０）とを連通する少なくとも１つの連通口（連通部）を有し、その連通口を開閉し、躯体２０内を換気する換気状態と躯体２０内を換気しない非換気状態とに切り換わる換気手段として、第１の換気部５１と、２つの第２の換気部５２、５３とが設けられている。
【００３８】
第１の換気部５１は、屋根部２１の右側の頂上部（中央部）に形成され、住宅１０の外部と小屋空間４１とを連通する第１の連通口（第１の連通部）５１１と、第１の連通口５１１を開閉する図示しない第１のシャッタ（第１の開閉部）と、第１のシャッタを駆動する図示しない第１の駆動機構とで構成されている。この第１の換気部５１は、第１の駆動機構により第１のシャッタを駆動し、第１の連通口５１１を開閉して、躯体２０内を換気するようになっている。
【００３９】
また、一方の第２の換気部５２は、左側の外壁部２２の下部に形成され、住宅１０の外部と床下空間４２とを連通する第２の連通口（第２の連通部）５２１と、第２の連通口５２１を開閉する図示しない第２のシャッタ（第２の開閉部）と、第２のシャッタを駆動する図示しない第２の駆動機構とで構成されている。この第２の換気部５２は、第２の駆動機構により第２のシャッタを駆動し、第２の連通口５２１を開閉して、躯体２０内を換気するようになっている。
【００４０】
また、他方の第２の換気部５３は、右側の外壁部２２の下部に形成され、住宅１０の外部と床下空間４２とを連通する第２の連通口（第２の連通部）５３１と、第２の連通口５３１を開閉する図示しない第２のシャッタ（第２の開閉部）と、第２のシャッタを駆動する図示しない第２の駆動機構とで構成されている。この第２の換気部５３は、第２の駆動機構により第２のシャッタを駆動し、第２の連通口５３１を開閉して、躯体２０内を換気するようになっている。
【００４１】
これら第１の連通口５１１および第２の連通口５２１、５３１の開閉は、それぞれ、いかなるように行うようになっていてもよいが、その具体例としては、例えば、夏においては、原則として、第１の連通口５１１および第２の連通口５２１、５３１をそれぞれ開いた状態とし、冬においては、原則として、第１の連通口５１１および第２の連通口５２１、５３１をそれぞれ閉じた状態とする。
【００４２】
なお、各換気部５１〜５３には、それぞれ、例えば、ファン等の送気装置が設けられていてもよい。
【００４３】
この住宅１０には、住宅１０を躯体２０内から暖める躯体内暖房システム１が設けられている。図１〜図３に示すように、躯体内暖房システム１は、暖房装置９を有している。
【００４４】
暖房装置９は、本実施形態では、蓄熱方式でかつ貯湯方式の装置であり、住宅１０の床下空間４２に設けられ、熱を蓄熱して放熱する蓄熱・放熱部であるコンクリート（放熱部）９１と、コンクリート９１内に埋設され、熱媒体として温水（湯）が流れる管体９２と、図示しない供給部から供給された水（熱媒体）や温水を加熱する加熱部９３と、温水を送液する送液部９４と、住宅の外部に設置され、温水を貯留する貯留部９５とを有している。管体９２の一端側（上流側）は、コンクリート９１から外部に延出し、貯留部９５の流出口に接続され、また、他端側（下流側）は、コンクリート９１から外部に延出し、貯留部９５の流入口に接続されている。
【００４５】
管体９２の構成材料としては、その内部（内腔）を流れる温水に対して耐熱性を有するものであれば特に限定されず、例えば、各種樹脂材料、各種金属材料等を用いることができる。
【００４６】
また、加熱部９３としては、例えば、ガスボイラー、灯油ボイラー等のボイラー、電熱ヒータ等のヒータ、電気温水器、太陽熱温水器等の温水器、ヒートポンプ等が挙げられる。
【００４７】
また、加熱部９３のエネルギーとして電力（電気エネルギー）を用いる場合は、深夜電力（例えば、２３時〜６時、または２３時〜７時）を使用するのが好ましい。この場合、暖房装置９は、貯留部９５を有しているので、深夜電力を使用して、事前に、その貯留部９５に、十分な量の温水を貯留することができる。
【００４８】
また、加熱部９３のエネルギーとして電力を用いる場合、その電力を、例えば、屋根部２１等に設置されたソーラーパネル（太陽電池）と、ソーラーパネルを介して得られた電力を蓄積（充電）する２次電池（充電部）とを有するソーラーシステムや、風力発電装置と、風力発電装置により得られた電力を蓄積する２次電池とを有する風力発電システムや、燃料電池等を用いて供給することもできる。ソーラーシステムを用いる場合、暖房装置９は、貯留部９５を有しているので、太陽が出ているときに、その貯留部９５に、十分な量の温水を貯留することができる。同様に、風力発電システムを用いる場合、暖房装置９は、貯留部９５を有しているので、風が吹いているときに、その貯留部９５に、十分な量の温水を貯留することができる。
【００４９】
また、貯留部９５は、断熱構造を有しており、貯留されている温水の温度を維持し得るように構成されている。
【００５０】
供給部から供給された水は、加熱部９３で、所定の温度になるように加熱され、一旦、貯留部９５に貯留される。貯留部９５に貯留された温水は、送液部９４の作動により、管体９２内を流れ、その際、コンクリート９１が加熱され、これにより、コンクリート９１に熱が蓄熱される。そして、コンクリート９１に十分に熱が蓄熱され、そのコンクリート９１から熱が放熱されると、床下空間４２、すなわち躯体内空間４０を介して、各室３１〜３３等の住宅１０内が暖められる。
【００５１】
また、コンクリート９１を加熱した後の温度の低下した温水は、加熱部９３で、所定の温度になるように加熱され、貯留部９５に貯留され、再び、コンクリート９１の加熱に用いられる。
【００５２】
また、暖房装置９が停止した後も、コンクリート９１に十分に熱が蓄熱されているので、所定期間は、そのコンクリート９１から熱が放熱され、各室３１〜３３等の住宅１０内が暖められる。
【００５３】
なお、前記管体９２、加熱部９３、送液部９４、貯留部９５および温水により、コンクリート９１を加熱する加熱手段が構成される。この加熱手段としては、具体的には、例えば、エコキュート等を用いることができる。
【００５４】
また、図２に示すように、躯体内暖房システム１は、通信回線としてインターネット（インターネット回線）１２に接続され、そのインターネット１２を介して、気象情報から住宅１０が設置されている地域の１日の最低気温の予報の情報および住宅１０が設置されている地域の天気（晴れ、曇り、雨、雪や、降水確率等）の予報の情報等の各種の情報を取得する制御装置（制御手段）６と、各種の情報を表示（報知）する表示部（報知手段）７１と、入力等の各操作を行う操作部（入力手段）７２とを有している。
【００５５】
制御装置６は、例えば、マイクロコンピュータやパーソナルコンピュータ等で構成され、ＣＰＵ６１、メモリ（記憶手段）６２および図示しない通信部（通信手段）等を有している。メモリ６２には、例えば、後述する補正に用いられ、実験的に求められたテーブルや演算式等の検量線等、各種の情報、データ、プログラム等が記憶（記録）されている。また、メモリ６２における書き込み（記憶）、書き換え、消去、読み出し等の制御は、ＣＰＵ６１によりなされる。
【００５６】
この制御装置６は、例えば、各換気部５１〜５３、加熱部９３、送液部９４および表示部７１等、躯体内暖房システム１全体の作動（駆動）を制御する。なお、制御装置６により、最低気温情報取得手段と、天気情報取得手段と、設定手段と、補正手段と、暖房制御手段との主機能が、それぞれ達成（構成）される。
【００５７】
また、制御装置６には、インターネット１２および操作部７２からの信号（情報）が、それぞれ、随時入力される。
【００５８】
操作部７２から制御装置６には、例えば、暖房装置９の作動温度（供給温度）と、作動時間（運転時間）として作動時間帯（運転時間帯）とを、それぞれ入力し得るようになっており、制御装置６は、操作部７２から作動温度が入力されると、その温度（値）を作動温度の設定値としてメモリ６２に記憶し、また、操作部７２から作動時間帯が入力されると、その時間帯（値）を作動時間帯の設定値としてメモリ６２に記憶する。すなわち、制御装置６は、暖房装置９の作動温度および作動時間帯をそれぞれ操作部７２により入力された値に設定する。なお、前記メモリ６２に記憶された作動温度の設定値および作動時間帯の設定値は、それぞれ、再び、操作部７２から作動温度および作動時間帯が入力されると、更新されるが、それまでは、後述する補正の有無にかかわらず、保持されている。
【００５９】
ここで、前記暖房装置９の作動温度は、本実施形態では、加熱部９３の加熱温度、すなわち、加熱部９３によって加熱された温水の温度である。
【００６０】
また、制御装置６は、インターネット１２を介して、気象情報から住宅１０が設置されている地域の１日の最低気温の予報の情報および住宅１０が設置されている地域の天気の予報の情報等の各種の情報を取り込み、その情報をメモリ６２に記憶する。
【００６１】
表示部７１としては、例えば、液晶パネルを備えた液晶表示装置、ＥＬパネルを備えたＥＬ表示装置、ＣＲＴ等、電子画像を表示する各種ディスプレイ等を用いることができる。
【００６２】
なお、表示部７１と操作部７２とは、別々に設けられていてもよく、また、例えば、タッチパネル等を用いることで、そのタッチパネルが表示部７１と操作部７２とを兼ねるようになっていてもよい。
【００６３】
さて、この躯体内暖房システム１は、制御装置６の制御により、暖房装置９の作動を制御し、住宅１０を躯体２０内から暖める（暖房を行う）よう構成されている。
【００６４】
また、躯体内暖房システム１は、作動モードとして、暖房装置９の作動温度（供給温度）と、作動時間帯（作動時間）とのいずれか一方または両方（本実施形態では、作動時間帯のみ）を補正する補正モードと、前記補正を行わない通常モード（非補正モード）とを有している。居住者（使用者）は、操作部７２を操作して、補正モードと、通常モードとのいずれか一方を選択することができ、制御装置６は、その入力信号に応じて、対応するモードに設定する。
【００６５】
通常モードに設定されている場合は、制御装置６は、設定された暖房装置９の作動温度および作動時間のいずれの補正も行わず、その設定値で、暖房装置９の作動を制御し、前述のように暖房を行なう。
【００６６】
一方、補正モードに設定されている場合は、制御装置６は、インターネット１２を介して、気象情報から住宅１０が設置されている地域の１日の最低気温の予報の情報および天気の予報の情報を取得し、これら両方の情報に基づいて、設定された暖房装置９の作動温度と、作動時間帯（作動時間）とのいずれか一方または両方（本実施形態では、作動時間帯のみ）を補正し、その補正された値で、暖房装置９の作動を制御し、前述のように暖房を行なう。この場合、暖房装置９の作動前に、前記最低気温の予報の情報および前記天気の予報の情報を取得し、前記補正を行うのが好ましい。
【００６７】
なお、以下の説明では、設定された暖房装置９の作動温度を、「作動温度の設定値」とも言い、設定された暖房装置９の作動時間帯（作動時間）を、「作動時間帯（作動時間）の設定値」とも言う。また、インターネット１２を介して気象情報から取得した住宅１０が設置されている地域の１日の最低気温の予報の情報を、「最低気温の予報」とも言い、インターネット１２を介して気象情報から取得した住宅１０が設置されている地域の天気の予報の情報を、「天気の予報」とも言う。
【００６８】
ここで、本実施形態では、前記制御装置６が取得する天気の予報は、住宅１０が設置されている地域の気温が前記最低気温に到達するときの天気の予報とするが、これに限定されないことは、言うまでもない。
【００６９】
また、前記天気の予報は、降水確率の予報で代替することもできる。この場合、例えば、降水確率の予報が１０％未満の場合は、「晴れ」、降水確率の予報が１０〜５０％の場合が、「曇り」、降水確率の予報が５０％超の場合が、「雨」または「雪」とする。
【００７０】
以下、補正モードについて、説明する。
まず、本実施形態では、前提として、住人（使用者）は、住宅１０が設置されている地域の１日の最低気温を「ＡＭＩＮ〜ＡＭＡＸ」と想定（予想）し、この情報は、操作部７２から制御装置６に入力され、メモリ６２に記憶されているものとする。
【００７１】
補正モードにおいては、最低気温の予報が所定範囲内（この所定範囲は、前記ＡＭＩＮ〜ＡＭＡＸとする）の値の場合は、住人の想定通りであり、原則として、補正を行わず、暖房装置９の作動温度の設定値および作動時間帯（作動時間）の設定値を維持する。
【００７２】
また、最低気温の予報が所定範囲の上限値（ＡＭＡＸ）より高い場合は、暖房装置９の作動時間の設定値を、その設定値よりも短い時間に補正し、最低気温の予報が所定範囲の下限値（ＡＭＩＮ）より低い場合は、暖房装置９の作動時間の設定値を、その設定値よりも長い時間に補正する。これにより、消費エネルギーを減少しつつ、暖かく、快適な環境が作られる。
【００７３】
また、最低気温の予報が第１のしきい値より高い場合は、暖房装置９の作動時間の設定値を０に補正し、暖房装置９を１日中（２４時間）作動させない。前記第１のしきい値は、暖房が必要な場合と不要な場合との境界の温度であり、予め、実験的に求められ、メモリ６２に記憶されている。これにより、消費エネルギーを減少しつつ、暖かく、快適な環境が作られる。
【００７４】
また、最低気温の予報が第２のしきい値より低い場合は、暖房装置９の作動時間の設定値を２４時間に補正し、暖房装置９を１日中（２４時間）作動させる。前記第２のしきい値は、予め、実験的に求められ、メモリ６２に記憶されている。
【００７５】
また、天気の予報が曇りの場合に比べて晴れの場合の暖房装置９の作動時間を短くし、天気の予報が曇りの場合に比べて雨の場合と雪の場合との暖房装置９の作動時間をそれぞれ長くする。これは、晴れの場合は、曇りの場合に比べて、暖かく感じ、雨および雪の場合は、それぞれ、曇りの場合に比べて、寒く感じるので、その精神的な要因を考慮したものである。これにより、より快適な環境を作ることができる。
【００７６】
以下、図４に基づいて、具体的な構成例を説明する。
この構成例は、躯体内暖房システム１の作動モードが補正モードに設定されている場合で、住人は、最低気温を３〜６℃（ＡＭＩＮ＝３℃、ＡＭＡＸ＝６℃）、天気を曇りと想定（予想）し、住宅１０の各室３１〜３３内の温度を２０〜２２℃に予定して、暖房装置９の作動時間帯を５時〜９時、１６時〜２１時（９時間）に設定し、暖房装置９の作動温度（管体９２に流す温水の温度）を７０℃に設定する場合のものである。
【００７７】
まず、住人は、躯体内暖房システム１の操作部７２を操作し、想定した条件として、最低気温を「３〜６℃」、天気を「曇り」と入力し、さらに、暖房装置９の設定値として、作動時間帯を「５時〜９時、１６時〜２１時（９時間）」、作動温度を「７０℃」と入力する。これにより、前記各データは、それぞれ、制御装置６のメモリ６２に記憶され、暖房装置９の作動温度は、「７０℃」に設定され、作動時間帯は、「５時〜９時、１６時〜２１時（９時間）」に設定される。
【００７８】
制御装置６は、まず、インターネット１２を介して、気象情報から住宅１０が設置されている地域の１日の最低気温の予報の情報および天気の予報の情報を取得し、その情報をメモリ６２に記憶する。
【００７９】
そして、図４に示すように、最低気温の予報が、想定した値である「３〜６℃」の範囲（所定範囲）内の値で、天気の予報が、想定した天気である「曇り」であれば、補正を行わず、暖房装置９の作動温度の設定値「７０℃」および作動時間帯の設定値「５時〜９時、１６時〜２１時（９時間）」を維持する。
【００８０】
また、最低気温の予報が、「３〜６℃」で、天気の予報が、「晴れ」であれば、暖房装置９の作動時間帯の設定値を「７時間」に補正する。なお、どの時間帯を削減するかは、特に限定されず、ここでは、その説明は、省略する（下記の説明でも同様）。また、暖房装置９の作動温度の設定値「７０℃」は、そのまま維持する（下記の説明でも同様であるが、この記載は、省略する）。
【００８１】
また、最低気温の予報が、「３〜６℃」で、天気の予報が、「雨」または「雪」であれば、暖房装置９の作動時間帯の設定値を「１１時間」に補正する。なお、どの時間帯を増加するかは、特に限定されず、ここでは、その説明は、省略する（下記の説明でも同様）。
【００８２】
また、最低気温の予報が、「６℃超、９℃以下」で、天気の予報が、「曇り」であれば、作動時間帯の設定値を「７時間」に補正し、「晴れ」であれば、作動時間帯の設定値を「６時間」に補正し、「雨」または「雪」であれば、「９時間」に補正する。なお、前記「雨」または「雪」の場合は、最低気温の予報に基づく補正と、天気の予報に基づく補正とが相殺されて、実質的には、補正されない。
【００８３】
また、最低気温の予報が、「９℃超、１２℃以下」で、天気の予報が、「曇り」であれば、作動時間帯の設定値を「４時間」に補正し、「晴れ」であれば、作動時間帯の設定値を「３時間」に補正し、「雨」または「雪」であれば、「６時間」に補正する。
【００８４】
また、最低気温の予報が、「１２℃（第１のしきい値）超」の場合は、天気の予報にかかわらず、作動時間帯の設定値を「０時間」に補正し、暖房装置９を１日中（２４時間）作動させない。
【００８５】
また、最低気温の予報が、「０℃以上、３℃未満」で、天気の予報が、「曇り」であれば、作動時間帯の設定値を「１１時間」に補正し、「晴れ」であれば、作動時間帯の設定値を「９時間」に補正し、「雨」または「雪」であれば、「１３時間」に補正する。なお、前記「晴れ」の場合は、最低気温の予報に基づく補正と、天気の予報に基づく補正とが相殺されて、実質的には、補正されない。
【００８６】
また、最低気温の予報が、「−３℃以上、０℃未満」で、天気の予報が、「曇り」であれば、作動時間帯の設定値を「１５時間」に補正し、「晴れ」であれば、作動時間帯の設定値を「１３時間」に補正し、「雨」または「雪」であれば、「１８時間」に補正する。
【００８７】
また、最低気温の予報が、「−６℃以上、−３℃未満」で、天気の予報が、「曇り」であれば、作動時間帯の設定値を「１８時間」に補正し、「晴れ」であれば、作動時間帯の設定値を「１６時間」に補正し、「雨」または「雪」であれば、「２１時間」に補正する。
【００８８】
また、最低気温の予報が、「−６℃以上、−３℃未満」で、天気の予報が、「曇り」であれば、作動時間帯の設定値を「１８時間」に補正し、「晴れ」であれば、作動時間帯の設定値を「１６時間」に補正し、「雨」または「雪」であれば、「２１時間」に補正する。
【００８９】
また、最低気温の予報が、「−１０℃以上、−６℃未満」で、天気の予報が、「曇り」であれば、作動時間帯の設定値を「２０時間」に補正し、「晴れ」であれば、作動時間帯の設定値を「１８時間」に補正し、「雨」または「雪」であれば、「２２時間」に補正する。
【００９０】
また、最低気温の予報が、「−１０℃（第２のしきい値）未満」の場合は、天気の予報にかかわらず、作動時間帯の設定値を２４時間に補正し、暖房装置９を１日中（２４時間）作動させる。
【００９１】
以上説明したように、この躯体内暖房システム１によれば、事前に、自動的に、暖房装置９の作動時間帯（作動時間）の設定値が補正されるので、作動時から暖房の効果が十分に表れるまでのタイムラグが比較的大きい暖房装置９を用いても、住宅１０内を必要かつ十分な温度に暖めることができ、その快適な環境を維持することができ、また、必要以上のエネルギーが消費されてしまうのを防止することができる。
【００９２】
また、暖房装置９の作動時間の設定値が自動的に補正されるので、住人は、基本的には、暖房装置９の作動温度や作動時間の設定値を変更する操作を行う必要がなく、手間がかからないという利点を有する。
【００９３】
また、最低気温の予報が１２℃（第１のしきい値）より高い場合は、暖房装置９は１日中作動しないので、電源スイッチをオンにしておいてもエネルギーの損失はなく、このため、電源スイッチをオンにしておけば、例えば、季節の変わり目や本来は暖かい時期（例えば、５月や６月、１０月等）に、急に寒くなったときは、暖房装置９が作動し、これにより、暖かく、快適な環境を得ることができる。
【００９４】
ここで、本実施形態では、制御装置６が、インターネット１２を介して住宅１０が設置されている地域の１日の最低気温および天気の予報の情報を取得し、これら両方の情報に基づいて、暖房装置９の作動時間帯（作動時間）の設定値を補正するように構成されているが、本発明では、これに限らず、制御装置６が、インターネット１２を介して住宅１０が設置されている地域の１日の最低気温の予告の情報および天気の予報の情報を取得し、これら両方の情報に基づいて、暖房装置９の作動温度の設定値を補正するように構成されていてもよく、また、暖房装置９の作動温度の設定値および作動時間帯（作動時間）の設定値を補正するように構成されていてもよい。
【００９５】
天気の予報に基づいて暖房装置９の作動温度の設定値を補正する場合の具体例としては、例えば、天気の予報が曇りの場合に比べて晴れの場合の暖房装置９の作動温度を低くし、天気の予報が曇りの場合に比べて雨の場合と雪の場合との暖房装置９の作動温度をそれぞれ高くするように構成する。これは、晴れの場合は、曇りの場合に比べて、暖かく感じ、雨および雪の場合は、それぞれ、曇りの場合に比べて、寒く感じるので、その精神的な要因を考慮したものである。
【００９６】
また、制御装置６が、インターネット１２を介して住宅１０が設置されている地域の１日の最低気温の予告の情報を取得し、この情報に基づいて、暖房装置９の作動時間帯（作動時間）の設定値を補正するように構成されていてもよく、また、暖房装置９の作動温度の設定値を補正するように構成されていてもよく、また、暖房装置９の作動温度の設定値および作動時間帯（作動時間）の設定値を補正するように構成されていてもよい。この場合は、天気の予報を考慮しないので、最低気温の予報が所定範囲内の値の場合は、補正は行われず、暖房装置９の作動温度の設定値および作動時間帯（作動時間）の設定値が維持される。
【００９７】
また、本発明では、制御装置６がインターネット１２を介して取得する情報としては、前記住宅１０が設置されている地域の１日の最低気温の予告の情報および天気の予報の情報に限らず、この他、例えば、住宅１０が設置されている地域の所定時間（例えば、１時間）毎の気温、１日の最高気温、風速（例えば、強風、弱風、無風や、数値等）等の予報の情報が挙げられる。そして、本発明では、さらに、これらのうちのいずれか１つまたは複数の情報を含め、それらの情報に基づいて、暖房装置９の作動時間帯（作動時間）の設定値を補正するように構成されていてもよく、また、暖房装置９の作動温度の設定値を補正するように構成されていてもよく、また、暖房装置９の作動温度の設定値および作動時間帯（作動時間）の設定値を補正するように構成されていてもよい。
【００９８】
また、本発明において用いる通信回線としては、インターネットに限らず、例えば、他の方式のオープンネットワーク（公開された通信網）や専用ネットワーク等の各種のネットワーク、ケーブルテレビ、双方向テレビ等が挙げられる。
【００９９】
＜第２実施形態＞
図５は、本発明の躯体内暖房システムの第２実施形態における制御装置の制御動作の構成例を示す図（表）である。
【０１００】
以下、本発明の躯体内暖房システムの第２実施形態について説明するが、前述した第１実施形態との相違点を中心に説明し、同様の事項はその説明を省略する。
【０１０１】
第２実施形態の躯体内暖房システム１では、制御装置６は、補正モードにおいて、最低気温の予報が所定範囲（ＡＭＡＸ〜ＡＭＩＮ）の上限値（ＡＭＡＸ）より高い場合は、暖房装置９の作動温度の設定値を、その設定値よりも低い温度に補正し、最低気温の予報が所定範囲の下限値（ＡＭＩＮ）より低い場合は、暖房装置９の作動温度の設定値を、その設定値よりも高い温度に補正するよう構成されている。これにより、消費エネルギーを減少しつつ、暖かく、快適な環境が作られる。
【０１０２】
以下、図５に基づいて、具体的な構成例を説明する。
図５に示すように、この構成例では、最低気温の予報が、想定した値である「３〜６℃」の範囲（所定範囲）内の値で、天気の予報が、想定した天気である「曇り」であれば、補正を行わず、暖房装置９の作動温度の設定値「７０℃」および作動時間帯の設定値「５時〜９時、１６時〜２１時（９時間）」を維持する。
【０１０３】
また、最低気温の予報が、「３〜６℃」で、天気の予報が、「晴れ」であれば、暖房装置９の作動時間帯の設定値を「７時間」に補正する。なお、どの時間帯を削減するかは、特に限定されず、ここでは、その説明は、省略する（下記の説明でも同様）。また、暖房装置９の作動温度の設定値「７０℃」は、そのまま維持する。
【０１０４】
また、最低気温の予報が、「３〜６℃」で、天気の予報が、「雨」または「雪」であれば、暖房装置９の作動時間帯の設定値を「１１時間」に補正する。なお、どの時間帯を増加するかは、特に限定されず、ここでは、その説明は、省略する（下記の説明でも同様）。また、暖房装置９の作動温度の設定値「７０℃」は、そのまま維持する。
【０１０５】
また、最低気温の予報が、「６℃超、９℃以下」の場合は、作動温度の設定値を「６０℃」に補正し、天気の予報が、「曇り」であれば、作動時間帯の設定値「９時間」をそのまま維持し、「晴れ」であれば、作動時間帯の設定値を「７時間」に補正し、「雨」または「雪」であれば、作動時間帯の設定値を「１１時間」に補正する。
【０１０６】
また、最低気温の予報が、「９℃超、１２℃以下」の場合は、作動温度の設定値を「５０℃」に補正し、天気の予報が、「曇り」であれば、作動時間帯の設定値「９時間」をそのまま維持し、「晴れ」であれば、作動時間帯の設定値を「７時間」に補正し、「雨」または「雪」であれば、作動時間帯の設定値を「１１時間」に補正する。
【０１０７】
また、最低気温の予報が、「１２℃（第１のしきい値）超」の場合は、天気の予報にかかわらず、作動時間帯の設定値を「０時間」に補正し、暖房装置９を１日中（２４時間）作動させない。
【０１０８】
また、最低気温の予報が、「０℃以上、３℃未満」の場合は、作動温度の設定値を「８０℃」に補正し、天気の予報が、「曇り」であれば、作動時間帯の設定値「９時間」をそのまま維持し、「晴れ」であれば、作動時間帯の設定値を「７時間」に補正し、「雨」または「雪」であれば、作動時間帯の設定値を「１１時間」に補正する。
【０１０９】
また、最低気温の予報が、「−３℃以上、０℃未満」の場合は、作動温度の設定値を「８０℃」に補正し、天気の予報が、「曇り」であれば、作動時間帯の設定値を「１２時間」に補正し、「晴れ」であれば、作動時間帯の設定値を「１０時間」に補正し、「雨」または「雪」であれば、作動時間帯の設定値を「１４時間」に補正する。
【０１１０】
また、最低気温の予報が、「−６℃以上、−３℃未満」の場合は、作動温度の設定値を「８０℃」に補正し、天気の予報が、「曇り」であれば、作動時間帯の設定値を「１５時間」に補正し、「晴れ」であれば、作動時間帯の設定値を「１４時間」に補正し、「雨」または「雪」であれば、作動時間帯の設定値を「１８時間」に補正する。
【０１１１】
また、最低気温の予報が、「−１０℃以上、−６℃未満」の場合は、作動温度の設定値を「８０℃」に補正し、天気の予報が、「曇り」であれば、作動時間帯の設定値を「１８時間」に補正し、「晴れ」であれば、作動時間帯の設定値を「１６時間」に補正し、「雨」または「雪」であれば、作動時間帯の設定値を「２０時間」に補正する。
【０１１２】
また、最低気温の予報が、「−１０℃（第２のしきい値）未満」の場合は、天気の予報にかかわらず、作動温度の設定値を「８０℃」に補正し、作動時間帯の設定値を２４時間に補正し、暖房装置９を１日中（２４時間）作動させる。
【０１１３】
この躯体内暖房システム１によれば、事前に、自動的に、暖房装置９の作動温度の設定値および作動時間帯（作動時間）が補正されるので、前述した第１実施形態と同様の効果が得られる。
【０１１４】
以上、本発明の躯体内暖房システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１１５】
また、本発明は、前記各実施形態のうちの、任意の２以上の構成（特徴）を組み合わせたものであってもよい。
【０１１６】
また、前記実施形態における住宅（建築物）は、躯体内空間が連通している形態の住宅であるが、本発明では、これに限らず、例えば、床下空間が独立しているものでもよく、また、床下空間の全体に、例えば、コンクリートが充填されており、床下空間がなく、そのコンクリート（土間）が床として機能するものや、そのコンクリートの表面に床が設けられているものでもよい。
【０１１７】
また、本発明の躯体内暖房システムが適用される住宅（建築物）は、２階建てに限らず、例えば、１階建て、または、３階建て以上であってもよい。また、例えば、地下室が設けられていてもよい。
【０１１８】
また、本発明の躯体内暖房システムが設置される建築物としては、住宅に限定されず、例えば、駅やビル等の公共の施設等が挙げられる。
【０１１９】
また、本発明では、暖房装置（暖房）の方式は、躯体内に放熱部を有するものであれば、特に限定されず、蓄熱方式の装置の場合、例えば、貯留部のないものであってもよく、また、温水が流れてコンクリートを加熱するものではなく、コンクリートに、例えば、放熱器、ヒータ等が埋設されており、それにより、直接コンクリートを加熱するものであってもよい。また、暖房装置は、蓄熱方式の装置に限らず、この他、例えば、床下空間、ふところ空間等の躯体内空間に、例えば、放熱器、ヒータ等を設置してなる設置方式（速暖方式）の装置や、蓄熱方式と設置方式とを組み合わせたもの等であってもよい。蓄熱方式と設置方式とを組み合わせる場合は、例えば、蓄熱方式の装置を主暖房として用い、設置方式の装置を補助暖房として用いるのが好ましい。
【図面の簡単な説明】
【０１２０】
【図１】本発明の躯体内暖房システムの第１実施形態が適用された建築物としての住宅の概略構造を示す断面図である。
【図２】図１に示す躯体内暖房システムのブロック図である。
【図３】図１に示す躯体内暖房システムの暖房装置のブロック図である。
【図４】図１に示す躯体内暖房システムの制御装置の制御動の構成例を示す図（表）である。
【図５】本発明の躯体内暖房システムの第２実施形態における制御装置の制御動作の構成例を示す図（表）である。
【符号の説明】
【０１２１】
１                躯体内暖房システム
１０              住宅
２０              躯体
２１              屋根部
２２              外壁部
２３              断熱材
２４              基台部
２５１、２６１、２７１  内壁部
２５２、２６２、２７２  天井
２５３、２６３、２７３  床
３１、３２、３３  室
４０              躯体内空間
４１              小屋空間
４２              床下空間
４３              ふところ空間
４４、４５、４６  内壁空間
５１              第１の換気部
５１１            第１の連通口
５２、５３        第２の換気部
５２１、５３１    第２の連通口
６                制御装置
６１              ＣＰＵ
６２              メモリ
７１              表示部
７２              操作部
９                暖房装置
９１              コンクリート
９２              管体
９３              加熱部
９４              送液部
９５              貯留部
１２              インターネット
【図１】
2009008310.tif 000003
【図２】
2009008310.tif 000004
【図３】
2009008310.tif 000005
【図４】
2009008310.tif 000006
【図５】
2009008310.tif 000007